(57)【要約】【課題】装着時の肌面との隙間を生じ難くするとともに、体液の漏れを防止する。【解決手段】透液性表面シート３と裏面シート２との間に吸収体４が介在された本体部分の両側部にそれぞれウイング状フラップＷが形成され、且つ個装状態で複数の幅方向折り線Ｘ１〜Ｘ３にて長手方向に折り畳まれた生理用ナプキン１である。複数の幅方向折り線のうち、１本の幅方向折り線Ｘ２は立体ギャザーＢＳの形成範囲Ａ１であって、装着時に両側から内側に向かう脚圧が作用する範囲２２に設けられるとともに、それ以外の幅方向折り線Ｘ１、Ｘ２は後方接着領域Ａ３の形成範囲又は後方接着領域Ａ３の形成範囲と前方接着領域Ａ２の形成範囲の両方に設ける。【選択図】図１
2015211740.tif 000002
【特許請求の範囲】
【請求項１】
透液性表面シートと裏面シートとの間に吸収体が介在され、表面側の両側部に、長手方向の中間が肌側に起立する立体ギャザーを形成するとともに、前記立体ギャザーより前側及び後側がそれぞれ前方接着領域及び後方接着領域にて前記吸収体側に接合されたギャザー不織布が配設され、且つ個装状態で複数の幅方向折り線にて長手方向に折り畳まれた吸収性物品において、
前記複数の幅方向折り線のうち、１本の幅方向折り線は前記立体ギャザーの形成範囲であって、装着時に両側から内側に向かう脚圧が作用する範囲に設けられるとともに、それ以外の幅方向折り線は前記後方接着領域の形成範囲又は後方接着領域の形成範囲と前方接着領域の形成範囲の両方に設けられていることを特徴とする吸収性物品。
【請求項２】
前記複数の幅方向折り線のうち、１本の幅方向折り線は前記立体ギャザーの形成範囲であって、体液排出部の中央部から吸収性物品の後側に６０ｍｍ以内の範囲で、且つ体液排出部より後側の範囲に設けられている請求項１記載の吸収性物品。
【請求項３】
前記吸収性物品は、個装状態で３本の幅方向折り線にて長手方向に折り畳まれた４つ折りとされ、
前記３本の幅方向折り線のうち、１本の幅方向折り線は前記立体ギャザーの形成範囲に設けられるとともに、１本の幅方向折り線は前記後方接着領域の形成範囲に設けられ、残りの１本の幅方向折り線は前記前方接着領域の形成範囲に設けられている請求項１、２いずれかに記載の吸収性物品。
【請求項４】
前記吸収性物品は、個装状態で４本の幅方向折り線にて長手方向に折り畳まれた５つ折りとされ、
前記４本の幅方向折り線のうち、１本の幅方向折り線は前記立体ギャザーの形成範囲に設けられるとともに、２本の幅方向折り線は前記後方接着領域の形成範囲に設けられ、残りの１本の幅方向折り線は前記前方接着領域の形成範囲に設けられている請求項１、２いずれかに記載の吸収性物品。
【請求項５】
前記吸収性物品の全長が３０ｃｍ以上である請求項１〜４いずれかに記載の吸収性物品。
【請求項６】
前記前方接着領域の長手方向長さは、吸収性物品の全長の１５％〜２０％である請求項１〜５いずれかに記載の吸収性物品。
【請求項７】
前記後方接着領域の長手方向長さは、吸収性物品の全長の３０％〜４０％である請求項１〜６いずれかに記載の吸収性物品。
【発明の詳細な説明】
【技術分野】
【０００１】
本発明は、主には生理用ナプキン、おりものシート、失禁パッド、トイレタリー等に使用される吸収性物品に係り、詳しくは表面側の両側部に肌側に起立する立体ギャザーが形成されるとともに、個装状態で複数の幅方向折り線にて長手方向に折り畳まれた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ種々の工夫が成されている。例えば、図８に示される吸収性物品（夜用生理用ナプキン５０）では、ポリエチレンシートなどからなる不透液性裏面シート５１と、経血等を速やかに透過させる透液性表面シート５２と、これら両シート５１，５２間に介装された綿状パルプまたは合成パルプなどからなる吸収体５３と、表面側の両側部に設けられた左右一対の立体ギャザーＢＳ、ＢＳを形成するギャザー不織布５４、５４とから主に構成され、前記吸収体５３の周囲においては、その前後端縁部では前記不透液性裏面シート５１と透液性表面シート５２との外縁部がホットメルトなどの接着剤やヒートシール等の接着手段によって接合され、またその両側部（サイドフラップ部分）では吸収体５３よりも側方に延出している前記不透液性裏面シート５１と、前記立体ギャザーＢＳを形成しているギャザー不織布５４とがホットメルトなどの接着剤やヒートシール等の接着手段によって接合され、これら不透液性裏面シート５１とギャザー不織布５４とによる積層シート部分によって、体液排出部Ｈの中央部に一致する部分を長手方向中央部とする側方に突出するウイング状フラップＷ、Ｗが形成されているとともに、これよりも後側部分に第２ウイング状フラップＷＢ、ＷＢが形成された構造となっている。前記立体ギャザーＢＳは、体液を堰き止め横漏れを防止するためのものであり、前記ウイング状フラップＷ、Ｗは該生理用ナプキン５０をショーツにきっちりと固定するためのものである。また、前記第２ウイング状フラップＷＢ、ＷＢは臀部側において、生理用ナプキン５０の横ズレと体液漏れを防止するためのものである。
【０００４】
前記ウイング状フラップＷ、Ｗおよび第２ウイング状フラップＷＢ、ＷＢの裏面側にはそれぞれ粘着剤層５５…、５６…が設けられている。前記生理用ナプキン５０を下着に装着するには、生理用ナプキン５０を局所にあてがい、側方に突出する前記ウイング状フラップＷ、Ｗを下着より外に出し、ウイング状フラップＷ基端の折返し線ＲＬ、ＲＬにて折返し、下着のクロッチ部分を巻き込むようにしながら下着の股間部外面に貼着するようにする。
【０００５】
かかる生理用ナプキン５０は、個装状態で適宜の位置に設定された複数の幅方向折り線にて長手方向に３つ折り〜５つ折り程度の複数折りに透液性表面シート側に折り畳まれている。図８に示される例では、３本の幅方向折り線Ｘ１〜Ｘ３にて長手方向に折り畳む４つ折りとしている。個装状態で複数に折り畳まれた吸収性物品は、個装から取り出した状態で、図９に示されるように、前記幅方向折り線Ｘ１〜Ｘ３に非肌側（不透液性裏面シート側）に突出した折り癖が付くようになる。
【０００６】
個装状態で複数に折り畳まれる吸収性物品としては、例えば下記特許文献１において、長手方向の両側部に防漏壁が配されており且つ幅方向を横断する折り線に沿って折り畳まれて個装される吸収性物品の個装体であって、前記折り線は、防漏壁の基壁部の一部が吸収性物品の幅方向内方又は外方に延出するように折り重ねられ且つ折り重ねられた対向面の間が接合されて形成された重層部の形成領域又はその近傍を横断している吸収性物品の個装体が開示されている。
【０００７】
また、下記特許文献２では、個装折り線が、排泄部領域を跨いで該配設部領域より前方に１本の前方領域個装折り線及び該排泄部領域の後端近傍に１本の後方領域第１個装折り線を有し、さらに後方の後方領域に１本の後方領域第２個装折り線を有しており、サイドシートにおける弾性部材の前方端部の表面シートとの固定部が、前記前方領域個装折り線よりも前方に位置し、サイドシートにおける弾性部材の後方端部の表面シートとの固定部が、後方領域第２個装折り線よりも後方に位置している吸収性物品が開示されている。
【先行技術文献】
【特許文献】
【０００８】
【特許文献１】特開２００９−５６２７０号公報
【特許文献２】特開２０１３−８５８２９号公報
【発明の概要】
【発明が解決しようとする課題】
【０００９】
上記特許文献１、２記載の吸収性物品では、長手方向中央部の折り線と、その前後部の折り線とからなる３本の幅方向折り線にて長手方向に折り畳まれた４つ折りで個装されている。しかしながら、この幅方向折り線の位置が、仮に、長手方向中央部の幅方向折り線Ｘ２として装着時に両側から内側に向かう脚圧が作用しない範囲（体液排出部Ｈの中央部から後側に６５ｍｍ以上離間した位置）に設けられ、この幅方向折り線Ｘ２が立体ギャザーＢＳの起立範囲に位置しており、且つこの幅方向折り線Ｘ２が設けられた部分の製品厚みが２ｍｍ以上である場合には次のような問題が生じ得る。(1)折り位置の製品厚みが２ｍｍ以上と比較的厚いため、折り線に沿って非肌側に突出した折り癖が付きやすい。(2)また、幅方向折り線Ｘ２が立体ギャザーＢＳの起立範囲に設けられているため、立体ギャザーＢＳに設置された弾性部材の収縮力により、個装状態から吸収性物品を取り出したときに外側（非肌側）に突出した折り癖がより一層助長され、装着時に吸収性物品の表面と肌面との間に隙間が生じやすくなる。(3)しかも、前記幅方向折り線Ｘ２が装着時に脚の付け根部分の内側で幅方向両側から内側に向けた圧力（脚圧）がほとんど作用しない位置に設けられているため、吸収性物品の表面が肌側に持ち上がるような変形が生じることなく、吸収性物品の表面と肌面との間に隙間ができて、体液が肌面を伝って後漏れや横漏れが発生しやすかった。
【００１０】
また、前記幅方向折り線Ｘ２の前後に配置された幅方向折り線Ｘ１、Ｘ３についても、上記特許文献１、２記載の吸収性物品では、立体ギャザーの起立範囲に設けられているため、上記長手方向中央部の折り線と同様の問題が生じる。
【００１１】
そこで本発明の主たる課題は、表面側の両側部に立体ギャザーが形成されるとともに、個装状態で複数の幅方向折り線にて長手方向に折り畳まれた吸収性物品においても、装着時の肌面との隙間を生じ難くするとともに、体液の漏れを防止した吸収性物品を提供することにある。
【課題を解決するための手段】
【００１２】
上記課題を解決するために請求項１に係る本発明として、透液性表面シートと裏面シートとの間に吸収体が介在され、表面側の両側部に、長手方向の中間が肌側に起立する立体ギャザーを形成するとともに、前記立体ギャザーより前側及び後側がそれぞれ前方接着領域及び後方接着領域にて前記吸収体側に接合されたギャザー不織布が配設され、且つ個装状態で複数の幅方向折り線にて長手方向に折り畳まれた吸収性物品において、
前記複数の幅方向折り線のうち、１本の幅方向折り線は前記立体ギャザーの形成範囲であって、装着時に両側から内側に向かう脚圧が作用する範囲に設けられるとともに、それ以外の幅方向折り線は前記後方接着領域の形成範囲又は後方接着領域の形成範囲と前方接着領域の形成範囲の両方に設けられていることを特徴とする吸収性物品が提供される。
【００１３】
上記請求項１記載の発明では、個装状態で複数の幅方向折り線にて長手方向に折り畳まれた吸収性物品において、折り癖によって非肌側に突出した状態が立体ギャザーの収縮力によって助長されるのを防止するため、立体ギャザーの形成範囲には極力折り線を設けないようにしている。しかしながら、吸収性物品の構造上、立体ギャザーの形成範囲に１本の幅方向折り線が位置するのは仕方がないものとして許容する一方で、このギャザー形成範囲に設けられる幅方向折り線の位置を、装着時に脚の付け根部分の内側で幅方向両側から内側に向けた脚圧が作用する範囲とすることによって、装着時に前記脚圧により吸収性物品の表面が肌側に盛り上がるように変形するのを利用して、立体ギャザーの形成範囲内に幅方向折り線を設けた場合であっても非肌側に突出した折り癖が装着することによって自動的に直るような構造としている。
【００１４】
具体的には、立体ギャザーの形成範囲であって、装着時に両側から内側に向かう脚圧が作用する範囲に、前記複数の幅方向折り線のうち、１本のみの幅方向折り線を設けている。そして、それ以外の幅方向折り線は、立体ギャザーの形成範囲に設けるのではなく、ギャザー不織布を吸収体側に接合した後方接着領域、又は後方接着領域と前方接着領域の両方に設けているため、立体ギャザーの収縮力の影響を受けず、非肌側に突出した折り癖が立体ギャザーの張力によって助長されることがない。従って、本吸収性物品では、装着時に肌面との隙間が生じにくく、体液の漏れが防止できるようになる。
【００１５】
請求項２に係る本発明として、前記複数の幅方向折り線のうち、１本の幅方向折り線は前記立体ギャザーの形成範囲であって、体液排出部の中央部から吸収性物品の後側に６０ｍｍ以内の範囲で、且つ体液排出部より後側の範囲に設けられている請求項１記載の吸収性物品が提供される。
【００１６】
上記請求項２記載の発明では、立体ギャザーの形成範囲に設ける１本の幅方向折り線の具体的な範囲について規定している。すなわち、体液排出部の中央部から吸収性物品の後側に６０ｍｍ以内の範囲で、且つ体液排出部より後側の範囲に設けている。この範囲は、装着時に特に両側からの脚圧がかかりやすい範囲であるため、装着時に折り癖がより一層直りやすくなる。
【００１７】
請求項３に係る本発明として、前記吸収性物品は、個装状態で３本の幅方向折り線にて長手方向に折り畳まれた４つ折りとされ、
前記３本の幅方向折り線のうち、１本の幅方向折り線は前記立体ギャザーの形成範囲に設けられるとともに、１本の幅方向折り線は前記後方接着領域の形成範囲に設けられ、残りの１本の幅方向折り線は前記前方接着領域の形成範囲に設けられている請求項１、２いずれかに記載の吸収性物品が提供される。
【００１８】
上記請求項３記載の発明では、個装状態で吸収性物品を３本の幅方向折り線にて長手方向に折り畳んだ４つ折りとした場合の幅方向折り線の位置を具体的に規定している。
【００１９】
請求項４に係る本発明として、前記吸収性物品は、個装状態で４本の幅方向折り線にて長手方向に折り畳まれた５つ折りとされ、
前記４本の幅方向折り線のうち、１本の幅方向折り線は前記立体ギャザーの形成範囲に設けられるとともに、２本の幅方向折り線は前記後方接着領域の形成範囲に設けられ、残りの１本の幅方向折り線は前記前方接着領域の形成範囲に設けられている請求項１、２いずれかに記載の吸収性物品が提供される。
【００２０】
上記請求項４記載の発明では、個装状態で吸収性物品を４本の幅方向折り線にて長手方向に折り畳んだ５つ折りとした場合の幅方向折り線の位置を具体的に規定している。
【００２１】
請求項５に係る本発明として、前記吸収性物品の全長が３０ｃｍ以上である請求項１〜４いずれかに記載の吸収性物品が提供される。
【００２２】
上記請求項５記載の発明では、個装状態で複数の幅方向折り線で折り畳まれる吸収性物品として、全長が３０ｃｍ以上である夜用ナプキンなどのような比較的長い吸収性物品を対象としている。
【００２３】
請求項６に係る本発明として、前記前方接着領域の長手方向長さは、吸収性物品の全長の１５％〜２０％である請求項１〜５いずれかに記載の吸収性物品が提供される。
【００２４】
上記請求項６記載の発明では、前方接着領域の長手方向長さを、吸収性物品の全長の１５％〜２０％とすることによって、この範囲に幅方向折り線を設けるのに十分な長さを確保している。
【００２５】
請求項７に係る本発明として、前記後方接着領域の長手方向長さは、吸収性物品の全長の３０％〜４０％である請求項１〜６いずれかに記載の吸収性物品が提供される。
【００２６】
上記請求項７記載の発明では、後方接着領域では、５つ折りなどの場合に折り線が２本設けられるため、前記前方接着領域より長い吸収性物品の全長の３０％〜４０％の長さで形成している。
【発明の効果】
【００２７】
以上詳説のとおり本発明によれば、表面側の両側部に立体ギャザーが形成されるとともに、個装状態で複数の幅方向折り線にて長手方向に折り畳まれた吸収性物品においても、装着時に肌面との隙間が生じ難くなるとともに、体液の漏れが防止できるようになる。
【図面の簡単な説明】
【００２８】
【図１】本発明に係る生理用ナプキン１の一部破断展開図である。
【図２】図１のII−II線矢視図である。
【図３】図１のIII−III線矢視図である。
【図４】(A)〜(D)は４つ折り時の個装要領を示す図である。
【図５】装着時の生理用ナプキン１を示す、図１のV−V線矢視図である。
【図６】(A)〜(C)は３つ折り時の個装要領を示す図である。
【図７】(A)〜(E)は５つ折り時の個装要領を示す図である。
【図８】従来の生理用ナプキン５０を示す展開図である。
【図９】装着時の生理用ナプキン５０を示す、図８のIX−IX線矢視図である。
【発明を実施するための形態】
【００２９】
以下、本発明の実施の形態について図面を参照しながら詳述すると、
本発明に係る生理用ナプキン１は、図１〜図３に示されるように、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも体液排出部Ｈを含むように前後方向に所定の区間内において表面側に突出して設けられた左右一対の立体ギャザーＢＳ、ＢＳを形成するギャザー不織布７とから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記ギャザー不織布７とがホットメルトなどの接着剤やヒートシール等の接着手段によって接合され、これら不透液性裏面シート２とギャザー不織布７とによる積層シート部分によって、体液排出部Ｈの中央部に一致する部分を長手方向中央部とする側方に突出するウイング状フラップＷ、Ｗが形成されているとともに、これよりも臀部側に位置する部分に第２ウイング状フラップＷＢ、ＷＢが形成されている。
【００３０】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非使用面側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００３１】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００３２】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３３】
前記吸収体４は、生理用ナプキン１のほぼ全長に亘って配設されるナプキン長手方向に長い略長方形状をなす基部吸収体４Ａと、少なくとも着用者の排血口部Ｈに対応する部分を含む領域に配設され、前記基部吸収体４Ａより肌側に高く形成された前方中高部４Ｂと、必要に応じて生理用ナプキン１の後部に配設され、前記基部吸収体４Ａより肌側に高く形成された後方中高部４Ｃとから構成するのが望ましい。前記前方中高部４Ｂは、着用者の排血口部Ｈ及びその周辺を十分に覆う大きさで形成されている。前方中高部４Ｂは、排血口部に対応する領域のみに形成してもよいが、後側が会陰部に対応する領域まで延在して形成されるようにするのが好ましい。前記前方中高部４Ｂは、会陰部に対応する領域までとし、それより後側の臀部溝に対応する領域まで延在しないことが好ましい。これにより、臀部溝に対応する領域において、基部吸収体４Ａが臀部溝に沿って変形しやすくなり、肌面との密着性を高めることができる。前記後方中高部４Ｃは、臀部溝より後方に位置し、万一臀部溝を伝って後側に漏れる体液があった場合にそれを捕捉するためのものである。
【００３４】
本生理用ナプキン１では、所定のパターンで生理用ナプキン１の肌当接面側（透液性表面シート３の外面側）からの圧搾により、生理用ナプキン１の略長手方向に沿って左右一対の圧搾溝１６を形成するのが好ましい。前記圧搾溝１６は、少なくとも幅方向中心線ＣＬの両側に生理用ナプキン１の略長手方向に沿って延びる部分が左右一対で形成されるものであればよく、図示例では、前方中高部４Ｂの外側に形成されるとともに、この左右一対の部分の前端部及び後端部がそれぞれ接続され、全体としてナプキン長手方向に細長く、かつ周方向に閉合する形状で形成されている。
【００３５】
また、前記圧搾溝１６より前側に離間して、平面視略Ω形状の前端用圧搾溝１６ａが形成されるとともに、前記圧搾溝１６より後側に離間して、後方中高部４Ｃを囲うように、平面視略逆Ω形状の後端用圧搾溝１６ｂが形成されている。前記前端用圧搾溝１６ａ及び後端用圧搾溝１６ｂは、それぞれ生理用ナプキン１の表面を前側及び後側に伝う体液を確実に吸収し、体液の伝い漏れを防止するためのものである。
【００３６】
一方、前記透液性表面シート３の幅寸法は、図示例では、図２及び図３の横断面図に示されるように、吸収体４の幅よりも若干長めとされ、吸収体４の少なくとも一部を覆うだけに止まり、前記立体ギャザーＢＳは前記透液性表面シート３とは別のギャザー不織布７、具体的には経血やおりもの等が浸透するのを防止する、あるいは肌触り感を高めるなどの目的に応じて、適宜の撥水処理または親水処理を施した不織布素材を用いて構成されている。かかるギャザー不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g／m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３７】
前記ギャザー不織布７は、図２及び図３に示されるように、幅方向中間部より外側部分を吸収体４の内側位置から吸収体側縁を若干越えて不透液性裏面シート２の外縁までの範囲に亘ってホットメルトなどの接着剤によって接着し、これら前記ギャザー不織布７と不透液性裏面シート２との積層シート部分により、ほぼ体液排出部Ｈの中央部に一致する部分を長手方向中央部とした吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、ショーツに対する装着時に、前記ウイング状フラップＷ、Ｗが折返し線ＲＬ位置にて反対側に折り返し、ショーツのクロッチ部分に巻き付けて止着するようになっている。
【００３８】
一方、前記ギャザー不織布７の内方側部分はほぼ二重に折り返されるとともに、この二重シート内部に、その高さ方向中間部に両端または長手方向の適宜の位置が固定された糸状弾性伸縮部材１４が配設されるとともに、前記糸状弾性伸縮部材１４の上側部位に複数本の糸状弾性伸縮部材１５…が両端または長手方向の適宜の位置が固定された状態で配設されている。この二重シート部分は、前後端部では図３に示されるように、断面Ｚ状に折り畳んで積層された状態で吸収体４側に接着されることによって、長手方向中間部では図２に示されるように、前記糸状弾性伸縮部材１４配設部位を屈曲点として、断面く字状に内側に開口を向けたポケットＰ、Ｐを形成しながら表面側に起立する立体ギャザーＢＳ、ＢＳが形成されている。
【００３９】
前記ギャザー不織布７は、生理用ナプキン１の長手方向に対し、中間部の前記立体ギャザーＢＳが形成されるギャザー形成範囲Ａ１と、このギャザー形成範囲Ａ１より前側で、ギャザー不織布７を断面Ｚ状に折り畳んで積層し吸収体４側にホットメルト接着剤、熱圧着又は超音波等の接合手段によって接着した前方接着領域Ａ２と、前記ギャザー形成範囲Ａ１より後側で、ギャザー不織布７を断面Ｚ状に折り畳んで積層し吸収体４側にホットメルト接着剤、熱圧着又は超音波等の接合手段によって接着した後方接着領域Ａ３とを有している。前記立体ギャザーＢＳは、ギャザー形成範囲Ａ１の全体に亘って肌側に起立し、中間部に吸収体４側への固定部が形成されていない。このため、ギャザー形成範囲Ａ１の全体に亘って横漏れが確実に防止できるようになる。前記ギャザー形成範囲Ａ１は、少なくとも排血口部Ｈに対応する領域の全部とナプキン幅方向に重なる範囲に設けられ、前記ウイング状フラップＷ及び前方中高部４Ｂの少なくとも一部、図１に示される例ではウイング状フラップＷ及び前方中高部４Ｂの全部とナプキン幅方向に重なる範囲に設けられている。
【００４０】
本生理用ナプキン１は、夜用生理用ナプキンなどのような全長が３０ｃｍ以上、好ましくは３０ｃｍ〜４５ｃｍ程度のものであるのが好ましい。このように全長が比較的長く形成された夜用生理用ナプキンなどでは、前記ウイング状フラップＷ及び第２ウイング状フラップＷＢが設けられ、個装状態で長手方向に複数に折り畳まれている。
【００４１】
以上の構成からなる生理用ナプキン１は、図１及び図４に示されるように、個装状態で複数の幅方向折り線にて長手方向に折り畳まれている。
【００４２】
図１及び図４に示されるように、個装状態で３本の幅方向折り線（生理用ナプキン１の後側からＸ１、Ｘ２、Ｘ３）にて長手方向に折り畳む４つ折りの場合の個装要領について詳しく説明すると、図４(A)に示されるように、両方のウイング状フラップＷ及び第２ウイング状フラップＷＢをそれぞれ、ギャザー不織布７のＺ状に折り畳んだ外側近傍位置を折れ線として、側部の外周フラップを含め、透液性表面シート３側に折り畳む。次に、表面側に露出したウイング状フラップＷ、Ｗの外面側に備えられた粘着剤層１２、１２及び第２ウイング状フラップＷＢ、ＷＢの外面側に備えられた粘着剤層１３、１３を一体的に覆う剥離材１７を配置する。
【００４３】
前記剥離材１７を設けたならば、個装シート１８により生理用ナプキン１を個装する。図４(A)に示されるように、幅寸法がナプキン１の展開幅（ウイング状フラップＷ、Ｗ又は第２ウイング状フラップＷＢ、ＷＢの先端間距離）よりも幅狭で、ウイング状フラップＷ、Ｗ及び第２ウイング状フラップＷＢ、ＷＢの折り畳み状態よりも幅広とされる所定長さの個装シート１８により、少なくとも個装シート１８の開口側端縁１８ａがナプキン１の前後端部の一方より外側に位置するように個装シート１８上にナプキン１を配置する。
【００４４】
その後、図４(B)に示されるように、幅方向折り線Ｘ１位置にてナプキン後端部を個装シート１８とともに透液性表面シート３側に折り畳んだならば、図４(C)に示されるように、幅方向折り線Ｘ２にてこの折り畳んだナプキン後端部を個装シート１８及び剥離材１７とともに更に透液性表面シート３側に折り畳む。しかる後、図４(D)に示されるように、幅方向折り線Ｘ３位置にてナプキン１の前端部を折り畳み、個装シート１８の開口した側縁部分１８ｂ、１８ｂをエンボス圧着、加熱融着、接着剤等、適宜の封鎖手段の単独又は組み合わせによって封鎖するようにする。また、個装シート１８の開口側端縁１８ａは、好ましくは接着剤により接合した後、タグテープ１９により封止する。
【００４５】
本生理用ナプキン１では、上述の３本の幅方向折り線Ｘ１〜Ｘ３のうち、中間の幅方向折り線Ｘ２は、立体ギャザーＢＳが形成されたギャザー形成範囲Ａ１であって、装着時に両側から内側に向かう脚圧が作用する範囲であるギャザー内の折り線設置範囲２２に設けられている。前記立体ギャザーＢＳの形成範囲Ａ１には、この折り線設置範囲２２内に配置された幅方向折り線Ｘ２の１本のみが設けられ、それ以外の幅方向折り線Ｘ１、Ｘ３はギャザー形成範囲Ａ１には設けないようにしている。
【００４６】
前記ギャザー形成範囲Ａ１に設けられる幅方向折り線Ｘ２以外の幅方向折り線Ｘ１、Ｘ３は、後方接着領域Ａ３の形成範囲、又は後方接着領域Ａ３の形成範囲と前方接着領域Ａ２の形成範囲の両方に設けられている。図１に示される例では、後側の幅方向折り線Ｘ１が後方接着領域Ａ３の形成範囲に設けられ、前側の幅方向折り線Ｘ３が前方接着領域Ａ２の形成範囲に設けられている。
【００４７】
ギャザー形成範囲Ａ１に幅方向折り線を設けると、図９に示されるように、折り線で折り畳んだ折り癖によって非肌側に突出するとともに、この突出した状態が立体ギャザーに配置された糸状弾性伸縮部材の収縮力によって助長され、更に非肌側に突出するようになる。そこで、本生理用ナプキン１では、前記ギャザー形成範囲Ａ１には極力折り線を設けないという思想の下、ナプキンの構造上、ギャザー形成範囲Ａ１に１本の幅方向折り線Ｘ２が位置するのは仕方がないものとして許容する一方で、このギャザー形成範囲Ａ１に設けた幅方向折り線Ｘ２の位置を装着時に脚の付け根部分の内側で幅方向両側から内側に向けた脚圧がかかりやすい位置とすることによって、装着時に前記脚圧により生理用ナプキン１の表面が肌側に盛り上がるのを利用して、ギャザー形成範囲Ａ１に幅方向折り線Ｘ２を設けても非肌側に突出した折り癖が装着によって自動的に直るような構造としている。また、ギャザー形成範囲Ａ１に設けた１本の幅方向折り線Ｘ２以外の幅方向折り線Ｘ１、Ｘ３は、立体ギャザーＢＳの形成範囲ではなく、後方接着領域Ａ３及び前方接着領域Ａ２に設けてあるため、立体ギャザーＢＳに配置された糸状弾性伸縮部材の収縮力の影響を受けず、非肌側に突出した折り癖が助長されるようなことはない。従って、本生理用ナプキン１では、装着時に肌面との隙間が生じにくく、体液の漏れが防止できるようになる。
【００４８】
前述の装着時に両側から内側に向かう脚圧が作用する範囲とは、装着時に主に立位状態において、股間部の脚の付け根部分の内側で幅方向両側から内側に向けた圧力が作用する範囲のことである。
【００４９】
より具体的には、前記ギャザー内の折り線設置範囲２２に設けられる幅方向折り線Ｘ２は、立体ギャザーＢＳの形成範囲Ａ１であって、体液排出部Ｈの中央部Ｎからナプキン後側に６０ｍｍ以内の範囲２１で、且つ体液排出部Ｈより後側の範囲に設けられるようにするのが好ましい。この範囲は、前述の脚圧が特にかかりやすい範囲であるので、装着時に折り癖がより一層直りやすくなる。
【００５０】
また、本例のように、ウイング状フラップＷが形成される生理用ナプキン１の場合には、前記ギャザー内折り線設置範囲２２を、前記ウイング状フラップＷの形成範囲の長手方向中央部からナプキン後側に６０ｍｍ以内の範囲２１で、且つ前記ウイング状フラップＷの形成範囲より後側の範囲とすることも可能である。なお、ウイング状フラップＷの長手方向中央部を体液排出部Ｈの中央部に合わせるように装着するので、ウイング状フラップＷの長手方向中央部と体液排出部Ｈの中央部Ｎとは対応している。
【００５１】
前記前方接着領域Ａ２の長手方向長さは、この領域に幅方向折り線を設ける際に十分な長さを確保するため、生理用ナプキン１の全長の１５％〜２０％とするのが好ましく、１７％〜２０％とするのがより好ましい。
【００５２】
また、前記後方接着領域Ａ３の長手方向長さは、後段で詳述する５つ折りなどの際に折り線が２本設けられる場合があるのと、臀部との密着性を高めるため、前記前方接着領域Ａ２より長い寸法で設けるのが好ましく、生理用ナプキン１の全長の３０％〜４０％とするのが好ましい。
【００５３】
更に、前記ギャザー形成範囲Ａ１の長手方向長さは、生理用ナプキン１の全長の４０％〜５５％とするのが好ましい。
【００５４】
前記ギャザー形成範囲Ａ１に設けられる幅方向折り線Ｘ２が通る本体部分の厚みは、８ｍｍ以上、好ましくは８ｍｍ〜２０ｍｍとするのがよい。折り線Ｘ２が通る本体部分の厚みを８ｍｍ以上とすることによって、脚圧がかかったときにナプキン表面がより高く肌側に盛り上がるようになるため、ナプキン表面が肌面に密着しやすくなる。この厚みは、本体部分の最大厚みであり、図１及び図２に示されるように、幅方向折り線Ｘ２が前方中高部４Ｂを通る場合、この中高部４Ｂ部分の最大厚みをとったものである。
【００５５】
前記厚みは、尾崎製作所製のデジタルゲージ（PEACOCK PDN-21、主な仕様は、測定範囲：２０ｍｍ、測定力１．５Ｎ以下）を用いて測定したものである。測定方法は、デジタルゲージを水平な場所に設置し、生理用ナプキン１を開封して展開し、個装シート１８を取り除いた状態で、折り線Ｘ２位置の幅方向中央部をダイヤルゲージに挟み測定する。
【００５６】
前記ギャザー形成範囲Ａ１に設けられる幅方向折り線Ｘ２は、前記前方中高部４Ｂを横断する位置に設けるのが好ましい。前述の通り、前記前方中高部４Ｂは、着用者の排血口部Ｈ及びその周辺を十分に覆う範囲から着用者の会陰部に対応する範囲に亘って中高に形成されているので、装着時に特に脚圧がかかりやすい部分であり、ナプキン表面が肌側に隆起した際に肌面と接触しやすくなる。
【００５７】
次に、個装時の折り方を違えたときの個装要領について説明する。図６は、生理用ナプキン１を個装状態で２本の幅方向折り線Ｘ１、Ｘ２にて長手方向に折り畳んだ３つ折りとした場合である。この場合、前側の幅方向折り線Ｘ２は、立体ギャザーＢＳの形成範囲であって、装着時に両側から内側に向かう脚圧が作用する範囲に設けられている。また、後側の幅方向折り線Ｘ１は、後方接着領域Ａ３の形成範囲に設けられている。
【００５８】
上述の４つ折りの場合と同様に、図６(A)に示されるように、両方のウイング状フラップＷ、Ｗ及び第２ウイング状フラップＷＢ、ＷＢをそれぞれ、透液性表面シート３側に折り畳み、表面側に露出した粘着剤層１２、１２、１３、１３を一体的に覆う剥離材１７を配置する。前記剥離材１７を設けたならば、個装シート１８により生理用ナプキン１を個装する。個装に際しては、図６(A)に示されるように、幅方向折り線Ｘ１位置にてナプキン後端部を個装シート１８とともに透液性表面シート３側に折り畳んだならば、図６(B)に示されるように、幅方向折り線Ｘ２にてナプキン１の前端部を透液性表面シート３側に折り畳み、個装シート１８の開口した側縁部分１８ｂ、１８ｂを封鎖するとともに、個装シート１８の開口側端縁１８ａを、好ましくは接着剤により接合した後、タグテープ１９により封止する。
【００５９】
次に、図７に示されるように、個装状態で４本の幅方向折り線Ｘ１〜Ｘ４にて長手方向に折り畳まれた５つ折りとした場合、ギャザー形成範囲Ａ１に１本の幅方向折り線Ｘ３が設けられるとともに、後側の２本の幅方向折り線Ｘ１、Ｘ２がそれぞれ後方接着領域Ａ３の形成範囲に設けられ、残りの前側の１本の幅方向折り線Ｘ４が前方接着領域Ａ２の形成範囲に設けられている。
【００６０】
５つ折りの場合も上述の４つ折りの場合と同様に、図７(A)に示されるように、両方のウイング状フラップＷ、Ｗ及び第２ウイング状フラップＷＢ、ＷＢをそれぞれ透液性表面シート３側に折り畳み、表面側に露出した粘着剤層１２、１２、１３、１３を一体的に覆う剥離材１７を配置する。前記剥離材１７を設けたならば、個装シート１８により生理用ナプキン１を個装する。個装に際しては、図７(A)に示されるように、幅方向折り線Ｘ１位置にてナプキン後端部を個装シート１８とともに透液性表面シート３側に折り畳んだならば、図７(B)に示されるように、この折り畳んだ後端部を幅方向折り線Ｘ２にて折り畳み、更に図７(C)に示されるように、幅方向折り線Ｘ３にて折り畳んだ後、図７(D)に示されるように、幅方向折り線Ｘ４にてナプキン１の前端部を透液性表面シート３側に折り畳み、個装シート１８の開口した側縁部分１８ｂ、１８ｂを封鎖するとともに、個装シート１８の開口側端縁１８ａを、好ましくは接着剤により接合した後、タグテープ１９により封止する。
【００６１】
〔他の形態例〕
(1)上記形態例では、立体ギャザーＢＳとして、ギャザー不織布７の内方側部分を断面Ｚ状に折り畳んで所定部位に糸状弾性伸縮部材１４、１５を配設することにより、断面く字状に内側に開口を向けたポケットＰを形成しながら表面側に起立するものとしていたが、肌側に起立するものであれば、中空断面のループ状に形成されたものや、外側又は内側に向けた直線状に形成されたものなど、任意の断面形状で形成することが可能である。
(2)上記形態例では、ウイング状フラップＷ、Ｗが形成された生理用ナプキン１について説明したが、ウイング状フラップＷ、Ｗが形成されない生理用ナプキンについても同様に適用可能である。
【符号の説明】
【００６２】
１…生理用ナプキン、２…不透液性裏面シート、３…透液性表面シート、４…吸収体、５…クレープ紙、７…ギャザー不織布、１２・１３…粘着剤層、１４・１５…糸状弾性伸縮部材、１８…個装シート、２１…Ｎから後側に６０ｍｍ以内の範囲、２２…ギャザー内の折り線設置範囲、Ａ１…ギャザー形成範囲、Ａ２…前方接着領域、Ａ３…後方接着領域、ＢＳ…立体ギャザー、Ｎ…ウイング状フラップＷの形成範囲の長手方向中央部、Ｗ…ウイング状フラップ、ＷＢ…第２ウイング状フラップ、Ｘ１〜Ｘ４…幅方向折り線
【図１】
2015211740.tif 000003
【図２】
2015211740.tif 000004
【図３】
2015211740.tif 000005
【図４】
2015211740.tif 000006
【図５】
2015211740.tif 000007
【図６】
2015211740.tif 000008
【図７】
2015211740.tif 000009
【図８】
2015211740.tif 000010
【図９】
2015211740.tif 000011